(57)【特許請求の範囲】
【請求項１】
加熱コイルと、前記加熱コイルに通電するための通電回路とを含む電磁調理器であって、
前記電磁調理器の外郭を構成する本体を含み、
前記本体は、
当該本体の上面に被加熱物を載置できるように構成され、
前記通電回路を収納する回路収納部を備え、
当該本体の前面に、前記回路収納部の内部に導通する第一の開口部を形成され、かつ、前記第一の開口部の下部に前記回路収納部の内部に導通する第二の開口部を形成され、
前記第一の開口部と前記第二の開口部を分離する分離部材を備え、
前記第一の開口部と前記第二の開口部とによって、風路を形成されており、さらに、
前記第一の開口部または第二の開口部から空気が導かれる、前記回路収納部に形成された吸気孔と、
前記回路収納部に対して着脱可能に設けられ、当該回路収納部の吸気孔を覆うフィルタと、
前記フィルタに取付けられた把手と、
前記フィルタを、前記回路収納部に装着された状態で支持する支持部材とを含み、
前記支持部材が、前記第一の開口部または前記第二の開口部の近傍に、前記把手と係合する係合部を備える構成であり、
前記把手が前記支持部材の係合部に係合されることにより、前記フィルタが前記回路収納部に装着された状態となる、
電磁調理器。
【請求項２】
加熱コイルと、前記加熱コイルに通電するための通電回路とを含む電磁調理器であって、
前記電磁調理器の外郭を構成する本体を含み、
前記本体は、
当該本体の上面に被加熱物を載置できるように構成され、
前記通電回路を収納する回路収納部を備え、
当該本体の前面に、前記回路収納部の内部に導通する第一の開口部を形成され、かつ、前記第一の開口部の下部に前記回路収納部の内部に導通する第二の開口部を形成され、
前記第一の開口部と前記第二の開口部を分離する分離部材を備え、
前記第一の開口部と前記第二の開口部とによって、風路を形成されており、さらに、
前記回路収納部における後方側の底面に形成された吸気孔と、
前記吸気孔を、前記底面の第一の面側から着脱可能に覆うフィルタと、
前記フィルタを、前記底面の第一の面に沿って、当該回路収納部の前方側から、前記吸気孔を覆う装着位置に移動させるためのレールと、
前記通電回路が実装される回路基板と、
前記回路基板を、前記底面の第一の面とは異なる前記底面の第二の面側に固定するための固定部材とを含み、
前記固定部材が、前記底面の第一の面において、前記レールに従って前記フィルタが移動する領域の外に突出するように、配置される、
電磁調理器。
【発明の詳細な説明】
【０００１】
【発明の属する技術分野】
本発明は、電磁調理器に関し、特に、装置の内部に外気を取込んで、該装置内部で循環させた後、装置内から装置外に空気を排出する、電磁調理器に関する。
【０００２】
【従来の技術】
電磁調理器は、直接炎を出さず、誘導加熱により食品を加熱できる、クリーンな加熱調理器として、注目されている。
【０００３】
なお、誘導加熱に用いる加熱コイルへの通電等のため、電磁調理器の本体の内部には、電気回路が備えられる。そして、従来から、電磁調理器は、該電気回路を冷却するため、本体の内部に外気を取込み、該空気を本体内部で循環させた後、本体内から本体外に空気を排出するように、構成されていた。
【０００４】
図２０に、従来の電磁調理器の一例の斜視図を示す。
電磁調理器１００は、本体１０１の上面に、上面板１０３が載置されている。上面板１０３上であって、本体１０１の上面の中央部分には、食品を載置させるための天板１０２が、配設されている。本体１０１の内部であって、天板１０２の下には、加熱コイルが配設されている。該加熱コイルに通電されることにより、天板１０２上に載置された鍋等が加熱される。本体１０１の前面には、コントロールパネル１０６が設けられている。コントロールパネル１０６には、電磁調理器１００を操作するための、種々のスイッチが設けられている。
【０００５】
本体１０１の内部には、加熱コイルや、該加熱コイルへの通電回路を含めた電気回路を実装された回路基板が収納されている。このことから、本体１０１の内部には、冷却ファンが搭載され、本体１０１の外部と、矢印ｘ，ｙ，ｚで示すような、空気のやり取りが行なわれていた。以下に、この空気のやり取りについて、説明する。
【０００６】
電磁調理器１００では、本体１０１の前面に吸気孔１０５が形成され、上面板１０３の後部に排気孔１０４が形成されている。そして、矢印ｘで示すように、吸気孔１０５を介して、本体１０１の外部から内部に空気が導入される。また、導入された空気は、本体１０１内を前方から後方に循環された後、矢印ｙ，ｚで示すように、上面板１０３上において、排気孔１０４を介して、上方または後方に向けて排出される。
【０００７】
【発明が解決しようとする課題】
しかしながら、従来の電磁調理器１００では、本体１０１内部からの排気が、鍋等の調理対象が配置される上面板１０３上で行なわれるため、ユーザに不快感を与えるという問題があった。
【０００８】
なお、排気孔１０４を、本体１０１の左右側面や後面に設ければ、上記の問題を解決できると考えられる。
【０００９】
しかし、電磁調理器１００は、本体１０１の左右側面や後面を、壁や、別の電磁調理器と密着させて設置される場合が多い。したがって、本体１０１の左右側面や後面に排気孔１０４を設けても、多くの場合、電磁調理器１００において十分に吸排気が行なわれないと考えられる。つまり、本体１０１の左右側面や後面に排気孔１０４を設けることは、上記の問題の解決策とは言い難い。
【００１０】
本発明は、かかる実情に鑑み考え出されたものであり、その目的は、ユーザに不快感を与えず、かつ、十分に吸排気を行なえる電磁調理器を提供することである。
【００１１】
【課題を解決するための手段】
本発明に従った電磁調理器は、加熱コイルと、前記加熱コイルに通電するための通電回路とを含む電磁調理器であって、前記電磁調理器の外郭を構成する本体を含み、前記本体は、当該本体の上面に被加熱物を載置できるように構成され、前記通電回路を収納する回路収納部を備え、当該本体の前面に、前記回路収納部の内部に導通する第一の開口部を形成され、かつ、前記第一の開口部の下部に前記回路収納部の内部に導通する第二の開口部を形成され、前記第一の開口部と前記第二の開口部を分離する分離部材を備え、前記第一の開口部と前記第二の開口部とによって、風路を形成されており、さらに、前記第一の開口部または第二の開口部から空気が導かれる、前記回路収納部に形成された吸気孔と、前記回路収納部に対して着脱可能に設けられ、当該回路収納部の吸気孔を覆うフィルタと、前記フィルタに取付けられた把手と、前記フィルタを、前記回路収納部に装着された状態で支持する支持部材とを含み、前記支持部材が、前記第一の開口部または前記第二の開口部の近傍に、前記把手と係合する係合部を備える構成であり、前記把手が前記支持部材の係合部に係合されることにより、前記フィルタが前記回路収納部に装着された状態となる、ことを特徴とする。
【００１２】
本発明によると、電磁調理器において、本体の前面より吸気され、かつ、本体の前面から排気される。
【００１３】
したがって、電磁調理器において、被加熱物の配置される面に排気することがないため不快感を与えることなく、かつ、側面や後面ではなく前面を介して吸排気するため十分に吸排気を行なえる。
【００１８】
また、フィルタの装着された状態を、係合部における係合状態を確認することにより、間接的に、かつ、より容易に、確認できる。
【００１９】
また、本発明に従った電磁調理器は、加熱コイルと、前記加熱コイルに通電するための通電回路とを含む電磁調理器であって、前記電磁調理器の外郭を構成する本体を含み、前記本体は、当該本体の上面に被加熱物を載置できるように構成され、前記通電回路を収納する回路収納部を備え、当該本体の前面に、前記回路収納部の内部に導通する第一の開口部を形成され、かつ、前記第一の開口部の下部に前記回路収納部の内部に導通する第二の開口部を形成され、前記第一の開口部と前記第二の開口部を分離する分離部材を備え、前記第一の開口部と前記第二の開口部とによって、風路を形成されており、さらに、前記回路収納部における後方側の底面に形成された吸気孔と、前記吸気孔を、前記底面の第一の面側から着脱可能に覆うフィルタと、前記フィルタを、前記底面の第一の面に沿って、当該回路収納部の前方側から、前記吸気孔を覆う装着位置に移動させるためのレールと、前記通電回路が実装される回路基板と、前記回路基板を、前記底面の第一の面とは異なる前記底面の第二の面側に固定するための固定部材とを含み、前記固定部材が、前記底面の第一の面において、前記レールに従って前記フィルタが移動する領域の外に突出するように、配置される、ことを特徴とする。
【００２０】
これにより、フィルタを、レールに従って装着位置へと移動させる際、スムーズに移動させることができる。
【００２７】
【発明の実施の形態】
以下に、本発明の一実施の形態である電磁調理器について、図面を参照しつつ説明する。図１〜図６は、電磁調理器を示す図である。詳しくは、図１は斜視図であり、図２は正面図であり、図３は平面図であり、図４は右側面図であり、図５は背面図であり、図６は底面図である。
【００２８】
まず、図１〜図６を参照して、電磁調理器１は、その外郭を本体１０から構成されている。本体１０は、主に、回路収納部２と、回路収納部２の上面に配置される天板３と、回路収納部２の左右両下端に位置する風送り板４により構成される。天板３の上面には、被加熱物が載置される。天板３の上面には、被加熱物が載置されるのに好ましい場所に、その旨を示すための印刷が施されている。
【００２９】
風送り板４は、それぞれほぼ垂直に延びる板体であり、該風送り板４の下端は、ぞれぞれ、本体１０の内側に向けて、ほぼ水平方向に折り曲げられている。そして、それぞれの風送り板４０の、該ほぼ水平方向に折り曲げられた部分には、前後に１つずつ、たとえばゴムからなる、脚４０が取付けられている。
【００３０】
回路収納部２の前面２０は、上段部２０ａと下段部２０ｂとから構成される。上段部２０ａは、下段部２０ｂよりも前面に突出すように構成されている。上段部２０ａには、複数の排気孔２６が形成されている。排気孔２６は、回路収納部２の内部に導入された空気を、回路収納部２の外部に排出するための孔である。
【００３１】
下段部２０ｂには、コントロールパネル２１が取付けられている。コントロールパネル２０ｂには、右から、加熱コイル（後述する加熱コイル３０）の加熱動作の入／切を切替える加熱スイッチ２２と、電磁調理器２における加熱出力を調整するための火力調整つまみ２３と、加熱が行なわれていることを示すための加熱ランプ２４と、電源が投入されている状態にあることを示す電源ランプ２５が設けられている。
【００３２】
図７は、前面２０を一部破断させた、電磁調理器２の正面図である。図８は、回路収納部２の側面を一部破断させた、電磁調理器２の側面図である。
【００３３】
図７および図８をさらに参照して、天板３の外周は、天板枠３ａで囲まれている。回路収納部２の内部であって、天板３の真下には、加熱コイル３０が配置されている。加熱コイル３０は、コイル載置板３１上に載置されている。
【００３４】
回路収納部２の底面２８には、ネジ４４により、該底面２８と隙間を有するように、基板取付け板４３が取付けられている。基板取付け板４３には、ネジ４２により、回路基板４１が取付けられている。回路基板４１は、加熱スイッチ２２，火力調整つまみ２３の操作等に基づいて加熱コイル３０に通電するための電気回路、および、加熱ランプ２４，電源ランプ２５の点灯／消灯を制御する電気回路を含む電気回路を構成する部品が実装されている基板である。なお、基板取付け板４３には、支柱によって、コイル載置板３１も固定されている。
【００３５】
回路収納部２の底面２８の後方部分には、フィルタ５０が配置されている。ここで、図９に、フィルタ５０を省略した状態での、電磁調理器２の底面図を示す。特に図９を参照して、回路収納部２の底面２８の後方部分には、複数の吸気孔２９が形成されている。そして、図１〜図８、特に、図６を併せて参照すると、フィルタ５０は、吸気孔２９を覆うように、取付けられている。
【００３６】
なお、フィルタ５０は、長方形の板状の網により構成されている。そして、フィルタ５０には、該フィルタ５０の長手方向に垂直に延びる、棒状の把手５０ａが取付けられている。把手５０ａの一端は、フィルタ５０に固定されている。把手５０ａの他端は、図２等から理解されるように、把手５０ａの他の部分に対して垂直に折り曲げられ、突出し部５０ｂとされている。つまり、把手５０ａの大部分は、水平方向に延びているのに対して、把手５０ａの他端（突出し部５０ｂ，電磁調理器２の前部に位置する部分）は、垂直方向に延びている。
【００３７】
底面２８の前方部分には、回路収納部２の幅方向に延びる板体である、把手保持板５２が取付けられている。把手保持板５２と底面２８の間には、隙間が設けられている。また、把手保持板５２には、前方から奥行き方向の中心付近まで延びる通り孔５２ａと、該通り孔５２ａに連結し、把手保持板５２の左方に入り込むように形成された嵌込み孔５２ｂが形成されている。さらに、底面２８の風送り板より内側の部分の左右両端には、把手保持板５２の後端と底面２８の後端付近とを結ぶように、レール５１が取付けられている。レール５１と底面２８との間には、フィルタ５０の左右両端を嵌込むことのできる程度の隙間が存在する。
【００３８】
回路収納部２にフィルタ５０が取付けられる場合、まず、フィルタ５０は、把手保持板５２と回路収納部２の底面２８との間を、通される。そして、フィルタ５０の左右両端をレール５１と底面２８との間に嵌込みながら、把手５０ａを後方に向けて押圧することにより、フィルタ５０を、レール５１に従って、後方に移動させる。底面２８の後端には、フィルタ５０を底面２８の後端で保持するためのストッパ５３が取付けられている。そして、フィルタ５０は、その後端がストッパ５３に当接する状態となるまで、レール５１に従って後方に、底面２８に沿うように、移動される。フィルタ５０の後端（フィルタ５０が前方から後方に移動されるときは、移動の先端）がストッパ５３に当接する直前で、把手５０ａの突出し部５０ｂは、通り孔５２ａに従って把手保持板５２の中央付近に導かれた後、嵌込み孔５２ｂに嵌込まれる。これにより、把手５０ａは、突出し部５０ｂが嵌込み孔５２ｂに嵌込まれた状態で、固定される。
【００３９】
なお、突出し部５０ｂが嵌込み孔５２ｂに嵌込まれた状態は、フィルタ５０の後端がストッパ５３に当接して吸気孔２９の全体を覆っている状態（特に図６参照）に相当する。また、図２や図７から理解されるように、突出し部５０ｂが嵌込み孔５２ｂに嵌込まれた状態は、電磁調理器１の前方から、容易に視認できる。つまり、電磁調理器１では、吸気孔２９が電磁調理器１の後部に形成されていても、フィルタ５０が吸気孔２９の全体を覆っている状態を、間接的にではあるが、該電磁調理器１の前方から容易に視認できる。これは、フィルタ５０よりも前方であって第二の開口部近傍に、把手５０ａの突出し部５０ｂと把手保持板５２の係合部位である嵌込み孔５２ｂが配置されているためである。なお、第二の開口部とは、上述したように、本体１０の前面であって、回路収納部２の下端と風送り板４により囲まれた部分を言う。
【００４０】
図１０に、電磁調理器１の、天板３，天板枠３ａ，加熱コイル３０，コイル載置板３１，ファン４５，ダクト４７のそれぞれを一部破断させた状態での平面図を示す。以下に、図１０をさらに参照して、電磁調理器１の構成を、より詳細に説明する。
【００４１】
前述のように、回路収納部２の底面２８の後部には、複数の吸気孔２９が形成されている。そして、底面２８の下側には、フィルタ５０が、吸気孔２９を覆うように、取付けられている。
【００４２】
回路収納部２の内部であって、吸気孔２９の真上には、ファン４５，４６が取付けられている。ファン４５，４６が駆動することにより、吸気孔２９を介して、回路収納部２の外部から内部に、空気が導入される。ファン４５，４６が駆動することによって導入された空気は、回路基板４１の上面等を通って、前方に移動し、排気孔２６を介して、回路収納部２の外部に排出される。
【００４３】
ここで、図１１に、回路収納部２内の部材を省略した状態での、図３のＸＩ−ＸＩ線に沿う矢視断面図を示す。ここで、図１１をさらに参照して、電磁調理器１における空気の流れを、より詳細に説明する。
【００４４】
ファン４５，４６が駆動すると、本体１０の前面から、回路収納部２の底面２８と風送り板４とによって囲まれた部分を通るように、回路収納部２の吸気孔２９に空気が送り込まれる（特に、図１１の矢印Ａ，Ｂ参照）。電磁調理器１では、回路収納部２の底面２８と風送り板４とによって、本体１０の前面から吸気孔２９への空気の流れを円滑にするダクトの役割がなされている。つまり、電磁調理器１では、風送り板４により、本体の第一の開口部または第二の開口部から回路収納部の吸気孔に空気を導く導風部材が構成されている。なお、第一の開口部は、排気孔２６により構成され、第二の開口部は、本体１０の前面であって、回路収納部２の下端と風送り板４により囲まれた部分により構成される。さらに、下段部２０ｂにより、第一の開口部と第二の開口部とを分離する分離部材が構成される。
【００４５】
また、電磁調理器１において、吸気孔２９を介して回路収納部２内に導かれた空気は、回路基板４１の上面等に沿うように、電磁調理器１の前方に進み（特に、図１１の矢印Ｃ，Ｄ参照）、回路収納部２の前面２０の排気孔２６を介して、回路収納部２の外部に排出される（特に、図１１の矢印Ｅ参照）。つまり、回路収納部２内では、後方から空気が導入され、前方に向けて一方向に該空気が導かれた後、前面２０から該空気が排出される、というように、空気の流れがシンプルなものとされている。これにより、回路収納部２内の回路基板４１等の冷却効率を高いものとすることができる。
【００４６】
つまり、電磁調理器１では、回路収納部２において空気を循環させる際、本体１０の前面から吸気され、本体１０の前面に排気される。これにより、電磁調理器１では、被加熱物の載置される面（本体１０の上面）、および、電磁調理器１の使用時に他の電磁調理器や壁と当接される左右両側面や背面では、吸排気を行なう必要がない。したがって、ユーザに不快感を与えることなく、かつ、より確実に、吸排気を行なうことができる。
【００４７】
また、電磁調理器１では、底面２８の下面の、フィルタ５０がその取付けの際にスライドされる領域（具体的には、把手保持板５２に対向する領域およびレール５１の間にある領域：以下、「スライド領域」と略す）には、ネジ等の部材が突出しないように構成されている。これは、回路基板４１が基板取付板４３にネジ止され、該基板取付板４３が底面２８にネジ止されているからである。つまり、回路基板４１を、底面２８にネジ止して該底面２８に直接固定するのではなく、基板取付板４３を介して間接的に底面２８に固定しているためである。
【００４８】
このことを、より詳細に説明する。回路基板４１を底面２８に直接固定した場合には、底面２８のスライド領域にネジ止する必要が生じる。この一方で、回路基板４１を、基板取付板４３の任意の場所にネジ止し、該基板取付板４３を底面２８のスライド領域以外の場所でネジ止する。これにより、電磁調理器１において、回路基板４１を回路収納部２内で確実に固定しつつ、底面２８のスライド領域でフィルタ５０をスムーズに移動させることができる。
【００４９】
なお、電磁調理器１では、排気孔２６を介して回路収納部２の内部に水が侵入することにより、回路基板４１等の部品に水が付着するおそれがある。そして、電磁調理器１では、当該部品への水の付着を防ぐために、対向部材８０および受け板９０（図１２等参照）を備えている。以下に、対向部材８０および受け板９０について、特に図１２〜図１５を参照して、説明する。図１２は、天板３および天板枠３ａを一部破断させた、電磁調理器１の平面図である。図１３は、回路収納部２の側面を一部破断させた、電磁調理器１の側面図である。
【００５０】
まず、図１２および図１３を参照して、回路収納部２の内部であって、前面２０には、対向部材８０および受け板９０が取付けられている。ここで、図１４に、回路収納部２の内側から見た、前面２０，対向部材８０および受け板９０の斜視図を示す。
【００５１】
さらに、図１４を参照して、対向部材８０は、前面２０に取付けられている取付部８５と、前面２０に対して略垂直方向に後方に向けて延びる延長部８１と、排気孔２６に水平方向について対向する対向部８３，８４を備えている。ここで、「水平方向について対向する」とは、排気孔２６を介して回路収納部２の内部を水平方向に覗いた場合に、対向部８３，８４により、その視野を遮られることを言い、また、排気孔２６と同じ高さに位置することを言う。なお、対向部８３，８４は、それぞれ、略垂直方向に延びているが、若干、下方に行くほど前方に寄るように構成されている。また、対向部８３と対向部８４は一体的に構成されているが、対向部８４の下端は、対向部８３の下端よりも下方に位置している。
【００５２】
前面２０には、加熱スイッチ２２の動作を検出する部品２２ａ、火力調整つまみ２３の動作を検出する部品２３ａ、および、加熱ランプ２４，電源ランプ２５の動作を制御する部品２４ａが取付けられている。
【００５３】
受け板９０は、対向部８３の下端と部品２２ａ〜２４ａの間に配置された垂直に延びる板体である受け部９１と、該受部９１の後端に該受け部９１に対して垂直上向きに取付けられた切り立ち部９２とを備えている。
【００５４】
電磁調理器１では、排気孔２６から回路収納部２に水が侵入した場合、該水は、対向部８３，８４の排気孔２６に対向する面に当たり、そのまま対向部８３，８４を伝って下方に移動する。対向部８３を伝って下方に移動した水は、受け部９１上に移動し、受け部９１の左端または右端から、底面２８に移動する。対向部８４を伝って下方に移動した水は、対向部８４の下端から、底面２８に移動する。底面２８に移動した水は、底面２８と回路収納部２の側面の接合部に隙間等を介して、回路収納部２外に排出される。なお、底面２８に、水を排出するための孔を形成すれば、より効率良く、水を排出できると考えられる。
【００５５】
電磁調理器１では、受け板９０が存在することにより、部品２２ａ〜２４ａに水が付着することを回避できる。また、対向部８３，８４が存在することにより、回路基板４１等に、水が付着することを回避できる。
【００５６】
なお、回路収納部２の前面２０に、対向部材８０および受け板９０が取付けられても、回路収納部２では、排気孔２６を介して、十分に排気できる。図１５に、図１４の斜視図に排気孔２６付近の空気の流れを表す矢印を加えた図を示す。
【００５７】
排気孔２６付近では、主に矢印Ｐ，Ｑ，Ｒで示す３つの空気の流れがある。矢印Ｐは、対向部８３の後方から、受け板９０の受け部９１と対向部８３の下端との間、対向部８３の前方を順に通って、排気孔２６に進む空気の流れである。矢印Ｑは、対向部８３，８４の後方から、対向部８３，８４の上方を通って、左右の延長部８１の間に流れ込み、そこから排気孔２６に進む空気の流れである。矢印Ｒは、対向部８４の後方から、対向部８４の下端と回路収納部２の底面２８との間、対向部８４の前方を順に通って、排気孔２６に進む空気の流れである。
【００５８】
本実施の形態では、部品２２ａ〜２４ａにより、通電回路を構成する特定の部品が構成され、回路基板４１上に実装されている電気部品により、通電回路を構成する所定の部品が構成されている。また、対向部材８０により、回路収納部の前面に形成された前面孔と通電回路を構成する所定の部品との間に配置され、水平方向について前面孔と所定の間隔を有しつつ対向して下方に延在する第一の部材が構成されている。そして、受け板９０により、第一の部材の少なくとも一部において第一の部材の下端よりも下方で、かつ、特定の部品の上方で特定の部品を覆うように第一の部材と交わる方向に延在するように配置された第二の部材が構成されている。
【００５９】
また、以上説明した本実施の形態では、電磁調理器１において、本体１０の前面から底面２８の吸気孔２９に、より効率良く、空気を送るため、回路収納部２の下方に、風送り板４を取付けていた。ただし、回路収納部２の下方に、空気を送れる隙間があれば良く、必ずしも、ダクトを構成するような風送り板４を取付ける必要はない。
【００６０】
図１６，図１７は、電磁調理器１の変形例の正面図，側面図である。そして、図１６，図１７に示すように、回路収納部２の底面には、上脚部６と、該上脚部６の底に接続された脚４０とが、前後２つずつ、合計４つ、取付けられている。このように、風送り板４の代わりに上脚部６を取付けても、吸気孔２９から回路収納部２内に空気を取込むことはできる。
【００６１】
なお、電磁調理器１では、加熱スイッチ２２として、ＯＮ／ＯＦＦ式のスイッチが用いられている。また、加熱スイッチ２２は、電磁調理器１の動作を全体的に制御するマイクロコンピュータ（以下、マイコンと略す）に接続されており、加熱スイッチ２２に対して操作がなされると、その旨が、該マイコンによって検出される。
【００６２】
図１８に、電磁調理器１の動作を制御するための回路の中の、加熱スイッチ２２に対する操作に関連のある部分を示す。また、図１９は、図１８に示すマイコン９３の各ポートにおける信号の入出力のタイミングを示す図である。
【００６３】
図１８および図１９を参照して、電磁調理器１の動作を全体的に制御するマイコン９３には、出力ポートＰＯ１と、出力ポートＰＯ２と、入力ポートＰＩＮ１と、入力ポートＰＩＮ２とが含まれる。出力ポートＰＯ１と入力ポートＰＩＮ１とは、スイッチ９４を介して接続されている。出力ポートＰＯ１と入力ポートＰＩＮ２とは、論理回路９５を介して接続されている。なお、論理回路９５には、発信器９６が接続されている。
【００６４】
加熱スイッチ２２が加熱を行なうように操作されると、スイッチ９４は、図１８に示す回路を開く。一方、加熱スイッチ２２が加熱を停止するように操作されると、スイッチ９４は、図１８に示す回路を閉じる。
【００６５】
発信器９６の発信周期毎に、発信器９６から論理回路９５に信号が出力されることにより、マイコン９３の入力ポートＰＩＮ２に、発信器９６の発信周期毎に、信号が入力される。また、スイッチ９４が回路を閉じると、マイコン９３の入力ポートＰＩＮ１に、信号が入力される。
【００６６】
そして、マイコン９３は、入力ポートＰＩＮ２にのみ信号が入力された場合は、加熱動作を実行し、入力ポートＰＩＮ１および入力ポートＰＩＮ２に信号が入力された場合には、加熱動作を停止させる。つまり、電磁調理器１では、加熱動作を停止させるための条件が、加熱動作を実行させるための条件よりも優先されている。
【００６７】
電磁調理器１がこのように構成されていることにより、加熱スイッチ２２としてＯＮ／ＯＦＦ式のスイッチが用いられた場合でも、加熱動作を実行させるための信号が出力され続け、電磁調理器が正常に動作できなくなる、という不具合を回避できる。
【００６８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】  本発明の一実施の形態である電磁調理器の斜視図である。
【図２】  図１に示す電磁調理器の正面図である。
【図３】  図１に示す電磁調理器の平面図である。
【図４】  図１に示す電磁調理器の右側面図である。
【図５】  図１に示す電磁調理器の背面図である。
【図６】  図１に示す電磁調理器の底面図である。
【図７】  図１に示す電磁調理器の、回路収納部の前面を一部破断させた、正面図である。
【図８】  図１に示す電磁調理器の、回路収納部の側面を一部破断させた、側面図である。
【図９】  図１に示す電磁調理器の、フィルタを省略した、底面図である。
【図１０】  図１に示す電磁調理器の、種々の要素を一部破断させた、平面図である。
【図１１】  図１に示す電磁調理器の、回路収納部内の部材を省略した、図３のＸＩ−ＸＩ線に沿う矢視断面図である。
【図１２】  図１に示す電磁調理器の、天板および天板枠を一部破断させた、平面図である。
【図１３】  図１に示す電磁調理器の、回路収納部の側面を一部破断させた、側面図である。
【図１４】  図１２に示す電磁調理器の、回路収納部の前面，対向部材および受け板の斜視図である。
【図１５】  図１４の斜視図に、排気孔付近の空気の流れを表す矢印を加えた図である。
【図１６】  図１に示す電磁調理器の、変形例である電磁調理器の正面図である。
【図１７】  図１に示す電磁調理器の、変形例である電磁調理器の側面図である。
【図１８】  図１に示す電磁調理器の動作を制御するための回路の中の、加熱スイッチに対する操作に関連のある部分を示す図である。
【図１９】  図１８に示す各ポートにおける信号の入出力のタイミングを示す図である。
【図２０】  従来の電磁調理器の一例の斜視図である。
【符号の説明】
１  電磁調理器、２  回路収納部、３  天板、４  風送り板、１０  本体、２０  ケース前面、２６  排気孔、２８  底面、２９  吸気孔、３０  加熱コイル、４１  回路基板、４２，４４  ネジ、４３  基板取付板、４５，４６  ファン、５０  フィルタ、５１  レール、５２  把手保持板、８０  対向部材、９０  受け板。
【図１】
0003773750.tif 000002
【図２】
0003773750.tif 000003
【図３】
0003773750.tif 000004
【図４】
0003773750.tif 000005
【図５】
0003773750.tif 000006
【図６】
0003773750.tif 000007
【図７】
0003773750.tif 000008
【図８】
0003773750.tif 000009
【図９】
0003773750.tif 000010
【図１０】
0003773750.tif 000011
【図１１】
0003773750.tif 000012
【図１２】
0003773750.tif 000013
【図１３】
0003773750.tif 000014
【図１４】
0003773750.tif 000015
【図１５】
0003773750.tif 000016
【図１６】
0003773750.tif 000017
【図１７】
0003773750.tif 000018
【図１８】
0003773750.tif 000019
【図１９】
0003773750.tif 000020
【図２０】
0003773750.tif 000021